(57)【特許請求の範囲】
【請求項１】
断裁処理を後工程に有するジョブを処理する画像形成装置であって、
前記ジョブに係る用紙サイズ情報を含むジョブ情報を取得するジョブ情報取得手段と、
前記ジョブに係るジョブ画像情報を取得するジョブ画像情報取得手段と、
前記ジョブ情報に基づき、断裁処理後の状態を確認する確認出力を行う確認出力用紙のサイズを前記用紙サイズ情報より１段小さなサイズの用紙を確認出力の用紙のサイズとして決定する確認出力サイズ決定手段と、
前記ジョブ画像情報のうち、前記確認出力サイズ決定手段で決定したサイズの前記確認出力用紙に出力する出力部分を指定するジョブ情報位置指定手段と、
前記ジョブ情報位置指定手段での指定出力部分と、及び前記確認出力サイズ決定手段で決定された確認出力サイズとに基づいて、前記ジョブ画像情報を確認出力画像情報として編集をする編集手段と、
前記編集手段により編集された確認出力画像情報を前記確認出力用紙に画像形成させる画像形成手段と、を有することを特徴とする画像形成装置。
【請求項２】
前記確認出力サイズ決定手段は、前記用紙サイズ情報が定形のワイドサイズである場合当該定形の通常サイズ、前記用紙サイズ情報が定形サイズである場合１サイズ小さな定形サイズ、前記用紙サイズ情報が不定形サイズである場合当該不定形サイズより小さな最大定形サイズを確認出力の用紙サイズとして決定することを特徴とする請求項１に記載の画像形成装置。
【請求項３】
前記確認出力用紙に画像形成する頁を指定する確認出力頁指定手段を有し、
前記編集手段は１頁又は複数頁で構成された前記ジョブ画像情報のうち、前記確認出力頁指定手段により指定された頁のジョブ画像情報を前記確認出力画像情報として編集することを特徴とする請求項１又は２に記載の画像形成装置。
【請求項４】
前記ジョブ情報位置指定手段は、前記ジョブ画像情報のうち確認出力を行う領域の基準位置を、ジョブ画像情報の、４隅のいずれか、各辺の中点のいずれか、中心、又は任意の位置、のいずれかに指定するものであることを特徴とする請求項１〜３のいずれか１項に記載の画像形成装置。
【請求項５】
前記ジョブ画像情報は、断裁処理される部分の画像情報を含むことを特徴とする請求項１〜４のいずれか１項に記載の画像形成装置。
【請求項６】
前記ジョブ画像情報は、断裁処理用の断裁マークを有することを特徴とする請求項１〜５のいずれか１項に記載の画像形成装置。
【請求項７】
前記ジョブ情報位置指定手段は、前記断裁マークの内部に含まれる、画像情報を指定することを特徴とする請求項６に記載の画像形成装置。
【請求項８】
前記ジョブ情報位置指定手段は、前記断裁マークに基づいて、前記ジョブ画像情報から前記確認出力サイズの前記出力部分を指定することを特徴とする請求項６又は７に記載の画像形成装置。
【請求項９】
前記ジョブ画像情報に断裁マークを追加する断裁マーク追加手段を有することを特徴とする請求項１〜５のいずれか１項に記載の画像形成装置。
【請求項１０】
前記ジョブ情報位置指定手段は、追加された断裁マークに基づいて、前記ジョブ画像情報から前記確認出力サイズの前記出力部分を指定することを特徴とする請求項９に記載の画像形成装置。
【請求項１１】
前記ジョブ情報位置指定手段は、前記ジョブ画像情報のうち、前記追加された断裁マークの内部領域を前記出力部分として指定することを特徴とする請求項９又は１０に記載の画像形成装置。
【請求項１２】
断裁処理を後工程に有するジョブを処理する画像形成装置であって、
ジョブに係る用紙サイズ情報を含むジョブ情報を取得するジョブ情報取得手段と、
ジョブに係る断裁マーク入りのジョブ画像情報を取得するジョブ画像情報取得手段と、
前記ジョブ情報に基づき、断裁処理後の状態を確認する確認出力を行う確認出力用紙のサイズを前記用紙サイズ情報より１段小さなサイズの用紙を確認出力の用紙のサイズとして決定する確認出力サイズ決定手段と、
前記断裁マーク、及び前記確認出力サイズ決定手段で決定された確認出力サイズに基づいて、前記ジョブ画像情報を確認出力画像情報として編集する編集手段と、
前記編集手段により編集された確認出力画像情報を前記確認出力用紙に画像形成させる画像形成手段と、を有することを特徴とする画像形成装置。
【請求項１３】
前記編集手段は、前記断裁マークの内部領域を前記確認出力画像情報として編集することを特徴とする請求項１２に記載の画像形成装置。
【請求項１４】
前記確認出力サイズ決定手段は、前記用紙サイズ情報が定形のワイドサイズである場合当該定形の通常サイズ、前記用紙サイズ情報が定形サイズである場合１サイズ小さな定形サイズ、前記用紙サイズ情報が不定形サイズである場合当該不定形サイズより小さな最大定形サイズを確認出力の用紙サイズとして決定することを特徴とする請求項１２又は１３に記載の画像形成装置。
【請求項１５】
前記確認出力用紙に画像形成する頁を指定する確認出力頁指定手段を有し、
前記編集手段は１頁又は複数頁で構成された前記ジョブ画像情報のうち、前記確認出力頁指定手段により指定された頁のジョブ画像情報を前記確認出力画像情報として編集することを特徴とする請求項１２〜１４のいずれか１項に記載の画像形成装置。
【請求項１６】
断裁処理を後工程に有するジョブを処理する画像形成装置の制御方法であって、
ジョブに係るジョブ画像情報を取得する工程と、
前記ジョブに係る断裁処理後の状態を確認する確認出力用紙のサイズ情報を取得する工程と、
前記ジョブ画像情報のうち、確認出力する領域を決定する工程と、
前記ジョブ画像情報と前記確認出力用紙のサイズ情報に基づき確認出力情報を編集する工程と、
編集された確認出力情報を前記確認出力用紙に画像形成する工程と、を有することを特徴とする画像形成装置の制御方法。
【発明の詳細な説明】
【技術分野】
【０００１】
本発明は、確認出力を可能とする画像形成装置及び該画像形成装置の制御方法に関する。
【背景技術】
【０００２】
従来、印刷業界等で使用される画像形成装置はプリント量が大量で、また、出力画像が高品質であることを求められている。このため大量のプリント出力後に暇庇が発見されたのでは修正後に再プリントせねばならず用紙及びトナーの不要な大量消費につながるため、ジョブ画像等の試し刷り（確認出力）を実施可能な画像形成装置が知られていた（例えば特許文献１、２、及び３参照。）。
【特許文献１】特開平８−１０１５４２号公報
【特許文献２】特開平１１−３８８３６号公報
【特許文献３】特開２００４−１３８６７３号公報
【発明の開示】
【発明が解決しようとする課題】
【０００３】
しかし特許文献１に記載された画像形成装置は、特殊紙がジョブ情報として指定された場合でも普通紙に確認出力を実施可能としたため高価な特殊紙を確認出力として使用しないことが可能となっても、確認出力では断裁後のプリント状態のイメージを確認することはできなかった。
【０００４】
また、特許文献２に記載された画像形成装置は、例えばステープル処理設定時に確認出力としてステープル処理近傍部の画像形成を行うことによりトナー消費軽減と画像形成状況の確認はできても、確認出力では断裁後のプリント状態のイメージを確認することはできなかった。
【０００５】
また、特許文献３に記載された画像形成装置は、確認出力に必要なサイズの用紙がセットされていなくとも、確認出力より大サイズの用紙を給紙し確認出力サイズ画枠をプリントするようにしたため確認出力サイズは確認できても、確認出力では断裁後のプリント状態のイメージを確認することはできなかった。
【０００６】
本発明は上記問題点に鑑み、
ジョブに係る画像形成の開始前に、確認出力により断裁後の用紙と用紙に対する画像形成状態を確認可能な画像形成装置を提供することを目的とする。
【課題を解決するための手段】
【０００７】
本発明に係る上記目的は下記により達成される。
【０００８】
（１）断裁処理を後工程に有するジョブを処理する画像形成装置であって、
前記ジョブに係る用紙サイズ情報を含むジョブ情報を取得するジョブ情報取得手段と、
前記ジョブに係るジョブ画像情報を取得するジョブ画像情報取得手段と、
前記ジョブ情報に基づき、断裁処理後の状態を確認する確認出力を行う確認出力用紙のサイズを前記用紙サイズ情報より１段小さなサイズの用紙を確認出力の用紙のサイズとして決定する確認出力サイズ決定手段と、
前記ジョブ画像情報のうち、前記確認出力サイズ決定手段で決定したサイズの前記確認出力用紙に出力する出力部分を指定するジョブ情報位置指定手段と、
前記ジョブ情報位置指定手段での指定出力部分と、及び前記確認出力サイズ決定手段で決定された確認出力サイズとに基づいて、前記ジョブ画像情報を確認出力画像情報として編集をする編集手段と、
前記編集手段により編集された確認出力画像情報を前記確認出力用紙に画像形成させる画像形成手段と、を有することを特徴とする画像形成装置。
（２）前記確認出力サイズ決定手段は、前記用紙サイズ情報が定形のワイドサイズである場合当該定形の通常サイズ、前記用紙サイズ情報が定形サイズである場合１サイズ小さな定形サイズ、前記用紙サイズ情報が不定形サイズである場合当該不定形サイズより小さな最大定形サイズを確認出力の用紙サイズとして決定することを特徴とする（１）に記載の画像形成装置。
（３）前記確認出力用紙に画像形成する頁を指定する確認出力頁指定手段を有し、
前記編集手段は１頁又は複数頁で構成された前記ジョブ画像情報のうち、前記確認出力頁指定手段により指定された頁のジョブ画像情報を前記確認出力画像情報として編集することを特徴とする（１）又は（２）に記載の画像形成装置。
（４）前記ジョブ情報位置指定手段は、前記ジョブ画像情報のうち確認出力を行う領域の基準位置を、ジョブ画像情報の、４隅のいずれか、各辺の中点のいずれか、中心、又は任意の位置、のいずれかに指定するものであることを特徴とする（１）〜（３）のいずれか１項に記載の画像形成装置。
（５）前記ジョブ画像情報は、断裁処理される部分の画像情報を含むことを特徴とする（１）〜（４）のいずれか１項に記載の画像形成装置。
（６）前記ジョブ画像情報は、断裁処理用の断裁マークを有することを特徴とする（１）〜（５）のいずれか１項に記載の画像形成装置。
（７）前記ジョブ情報位置指定手段は、前記断裁マークの内部に含まれる、画像情報を指定することを特徴とする（６）に記載の画像形成装置。
（８）前記ジョブ情報位置指定手段は、前記断裁マークに基づいて、前記ジョブ画像情報から前記確認出力サイズの前記出力部分を指定することを特徴とする（６）又は（７）に記載の画像形成装置。
（９）前記ジョブ画像情報に断裁マークを追加する断裁マーク追加手段を有することを特徴とする（１）〜（５）のいずれか１項に記載の画像形成装置。
（１０）前記ジョブ情報位置指定手段は、追加された断裁マークに基づいて、前記ジョブ画像情報から前記確認出力サイズの前記出力部分を指定することを特徴とする（９）に記載の画像形成装置。
（１１）前記ジョブ情報位置指定手段は、前記ジョブ画像情報のうち、前記追加された断裁マークの内部領域を前記出力部分として指定することを特徴とする（９）又は（１０）に記載の画像形成装置。
（１２）断裁処理を後工程に有するジョブを処理する画像形成装置であって、
ジョブに係る用紙サイズ情報を含むジョブ情報を取得するジョブ情報取得手段と、
ジョブに係る断裁マーク入りのジョブ画像情報を取得するジョブ画像情報取得手段と、
前記ジョブ情報に基づき、断裁処理後の状態を確認する確認出力を行う確認出力用紙のサイズを前記用紙サイズ情報より１段小さなサイズの用紙を確認出力の用紙のサイズとして決定する確認出力サイズ決定手段と、
前記断裁マーク、及び前記確認出力サイズ決定手段で決定された確認出力サイズに基づいて、前記ジョブ画像情報を確認出力画像情報として編集する編集手段と、
前記編集手段により編集された確認出力画像情報を前記確認出力用紙に画像形成させる画像形成手段と、を有することを特徴とする画像形成装置。
（１３）前記編集手段は、前記断裁マークの内部領域を前記確認出力画像情報として編集することを特徴とする（１２）に記載の画像形成装置。
（１４）前記確認出力サイズ決定手段は、前記用紙サイズ情報が定形のワイドサイズである場合当該定形の通常サイズ、前記用紙サイズ情報が定形サイズである場合１サイズ小さな定形サイズ、前記用紙サイズ情報が不定形サイズである場合当該不定形サイズより小さな最大定形サイズを確認出力の用紙サイズとして決定することを特徴とする（１２）又は（１３）に記載の画像形成装置。
（１５）前記確認出力用紙に画像形成する頁を指定する確認出力頁指定手段を有し、
前記編集手段は１頁又は複数頁で構成された前記ジョブ画像情報のうち、前記確認出力頁指定手段により指定された頁のジョブ画像情報を前記確認出力画像情報として編集することを特徴とする（１２）〜（１４）のいずれか１項に記載の画像形成装置。
（１６）断裁処理を後工程に有するジョブを処理する画像形成装置の制御方法であって、
ジョブに係るジョブ画像情報を取得する工程と、
前記ジョブに係る断裁処理後の状態を確認する確認出力用紙のサイズ情報を取得する工程と、
前記ジョブ画像情報のうち、確認出力する領域を決定する工程と、
前記ジョブ画像情報と前記確認出力用紙のサイズ情報に基づき確認出力情報を編集する工程と、
編集された確認出力情報を前記確認出力用紙に画像形成する工程と、を有することを特徴とする画像形成装置の制御方法。
【発明の効果】
【００２６】
本発明によれば次のような効果を得ることが出来る、すなわち、
（１）ジョブ画像取得手段により取得したジョブ画像情報のうち、ジョブ情報位置指定手段で指定された領域を、確認出力サイズ決定手段で決定されたサイズの確認出力用紙に出力することにより、ジョブに係る画像形成の開始前に、確認出力により断裁後の用紙と用紙に対する画像形成状態を確認可能な画像形成装置を提供することが可能となる。
【００２７】
（２）ジョブ画像取得手段により取得したジョブ画像情報のうち、ジョブ情報位置指定手段で断裁マークに基づいて指定された領域を、確認出力サイズ決定手段で決定されたサイズの確認出力用紙に出力することにより、ジョブに係る画像形成の開始前に、断裁マークに基づいた確認出力により、断裁後の用紙と用紙に対する画像形成状態を確認可能な画像形成装置を提供することが可能となる。
【００２８】
（３）取得したジョブ画像情報のうち、取得された確認出力用紙サイズ情報に応じ、確認出力する領域を決定し、ジョブ画像情報と確認出力用紙サイズ情報に基づき確認出力情報を編集し、編集された確認出力情報を確認出力用紙に画像形成することにより、ジョブに係る画像形成の開始前に、確認出力により断裁後の用紙と用紙に対する画像形成状態を確認可能な画像形成装置の制御方法を提供することが可能となる。
【発明を実施するための最良の形態】
【００２９】
以下に本発明の実施の形態を説明するが、本欄の記載は請求項の技術的範囲や用語の意義を限定するものではない。
【００３０】
印刷業等プリント量が大量である場合、一般的に断裁済みの製品寸法より大きなサイズの用紙に断裁マーク（トンボマーク）と画像をプリント後、集積した用紙を切断マークに合わせて断裁し、例えば冊子等の製品としている。
【００３１】
本発明者は、プリント後に間違いが判明するとプリントした用紙が無駄になってしまうため、プリント前の確認出力は製品サイズと同様なサイズの用紙に画像をプリントすれば、製品のイメージを事前につかめ、間違いプリントをすることが削減できると考えた。
【００３２】
すなわち、確認出力を断裁後の用紙サイズと同じ（又は近似の）サイズの用紙に行う。実際には、ジョブの断裁マークを含む断裁前の用紙サイズ（例えばＡ４ワイド）より小さな製品サイズ（例えばＡ４）に画像をプリントする。これにより、断裁後のプリント状態が確認可能となる。
【００３３】
確認出力とはジョブの画像形成開始前に画像形成状態と画像形成位置等を確認するための試しプリントを指し、確認出力情報とは確認出力に係る情報（例えば確認出力を行うジョブのページ情報等）を指す。
【００３４】
ジョブとは一纏めの原稿すなわち一纏めの画像情報（例えば断裁位置を示す断裁マーク情報と画像情報等）の単位を指し（以下ジョブの画像をジョブ画像情報とも記す）、ジョブ情報とは一纏めの画像情報に関するプリント条件（例えばジョブの用紙サイズ情報、プリント部数等）を指す。
【００３５】
先ず、本発明の画像形成装置の構成・作用について説明する。
【００３６】
図１は、画像形成装置の１例を示す断面構成図である。
【００３７】
画像形成装置１について以下説明する。
【００３８】
画像形成装置１は、集積された一纏めの原稿すなわちジョブの原稿を１枚ずつ取り出して画像読取位置に搬送した後排紙する自動原稿給紙手段２、と、画像読取位置で原稿の画像を読み取る画像読取手段３、と、読み取った画像データに基づきトナー画像を形成する画像形成手段４と給紙トレイから所定のサイズの用紙を１枚ずつ取りだして給紙する大容量自動給紙ユニットＤ、と、大容量自動給紙ユニットＤで取りだした用紙をトナー画像の転写位置に搬送給紙する給紙手段５とで構成される給紙手段と、画像を担持した用紙を反転したり、再度画像の転写位置に搬送・給紙する反転排紙・再給紙手段６、と、用紙を反転させる反転搬送部７、と、タッチパネルや操作スイッチ等で構成されてオペレータがジョブ情報や確認出力に係る情報を入力したり装置の状況を表示したり、オペレータが断裁マークを入力する操作パネル１０、と、インターネットを介して外部のサーバー等と通信を行うインターネット通信手段Ｃ１、と、ローカルエリアネットワーク（以下ＬＡＮと記す。）を介してサーバーや他の画像形成装置と通信を行うＬＡＮ通信手段Ｃ２と、書き替え可能な記憶手段例えばバッテリーバックアップされたランダムアクセスメモリ（以下ＲＡＭと記す）Ｍ１と、画像形成の制御プログラムや通信制御に係るプログラム等を予め記憶した不揮発性のリードオンリーメモリ（以下ＲＯＭと記す）Ｍ２、と、これらを制御する制御手段Ｃ、等を有している。
【００３９】
作用について説明すると、操作パネル１０からジョブ情報等が入力され、画像形成の起動指示がオペレータにより入力されると画像形成装置１が起動する。これにより、画像形成装置１の自動原稿給紙手段２は、原稿載置台１１上に載置された複数枚の原稿（図示せず）を、原稿分離手段１２によって１枚づつ分離して、原稿搬送手段１３によって画像読取位置に搬送する。
【００４０】
原稿読取位置は原稿搬送手段１３の下方に設けられており、画像読取手段３のスリット２１を通してジョブ画像情報である原稿の画像が読み取られるようになっている。
【００４１】
画像が読み取られた原稿は、原稿排紙手段１４によって原稿排紙台１５上へと排紙される。
【００４２】
また、プラテンガラス２２上に原稿を直接載置して複写を行うこともできるように構成してある。
【００４３】
画像読取手段３は、前記スリット２１を介して原稿を照射するランプ２３１と原稿からの反射光を反射させる第１ミラーユニット２３と、第２ミラーユニット２４と、撮像素子に結像させる結像レンズ２５、および、結像レンズ２５によって結像された光像を光電変換するライン状のＣＣＤ２６を有している。
【００４４】
原稿画像がＣＣＤ２６により読み取られ光電変換されたアナログ信号は、アナログ処理後Ａ／Ｄ変換され、画像処理部（図示せず）でシェーディング補正、フィルタ処理、あるいは、γ補正等の適宜の画像処理を施されて画像情報とされた後、一旦、ＲＡＭ・Ｍ１に記憶される。
【００４５】
ここで、インターネット通信手段Ｃ１によりインターネットを介して外部のサーバーやパーソナルコンピュータ（以下ＰＣと記す）からジョブ画像情報とそのジョブ情報を得るようにしても良く、更にＬＡＮ通信手段Ｃ２によりＬＡＮを介して他の画像形成装置やサーバー等からジョブ画像情報とそのジョブ情報を得るようにしても良い。
【００４６】
これらにより遠隔地や他フロアに設置されたＰＣやサーバーやスキャナ等からジョブ画像情報とそのジョブ情報を取得することが可能となる。
【００４７】
画像形成手段４は、電子写真プロセスを用いて画像形成する部位であり、像担持体としての光導電性感光層を表面に有する感光体ドラム３１、当該感光体ドラム３１の表面を一様帯電させる帯電器３２、画像処理後の画像データに基いて作動され、前記感光体ドラム３１上を露光して静電荷潜像を形成するための露光手段であるレーザー書込系３３、前記感光体ドラム３１上に形成される静電荷潜像を現像してトナー像となす現像ユニット３４、顕像化された前記トナー像を用紙上に転写せしめる転写極３５、トナー像が転写された用紙の裏面からＡＣコロナ放電を行い、前記感光体ドラム３１上からの用紙の分離を促進する除電器３６、および、転写工程終了後の前記感光体ドラム３１を清掃するためのクリーニング手段３７等、を有している。
【００４８】
定着装置３９は、加熱源Ｈを内蔵し、その周囲を独立回転する加熱ローラ３９０と、前記加熱ローラ３９０と圧接しながら回転する圧接ローラ３９３からなり、定着装置３９の下流には、反転排紙・再給紙手段６の構成要素である定着排出ローラ５１、切替手段５２、及び用紙を装置外に排出する排紙ローラ５３が備えてある。
【００４９】
上記画像形成手段４および定着装置３９による用紙上への画像形成は、不図示の駆動手段によって矢示の方向に回転する感光体ドラム３１を帯電器３２により順次帯電した後、レーザー書込系３３によるドット露光でジョブ画像情報に対応した静電荷潜像を形成し、現像ユニット３４により前記静電荷潜像をトナー像となす。
【００５０】
その後、第２給紙手段としてのレジストローラ４６の回転開始により給送される用紙Ｐ上に、前記転写極３５の作用を介して転写させ、その後定着装置３９により用紙上のトナー像を定着させることで達成される。
【００５１】
また、大容量自動給紙ユニットＤは、大量の用紙を収納可能な給紙トレイＤ１〜Ｄ３を有し、用紙Ｐの搬送手段としての搬送ローラ対（以下、搬送ローラともいう）Ｒ１、Ｒ２、Ｒ３、Ｒ４、Ｒ５、により、ジョブ情報に応じて選択されたサイズの給紙トレイから用紙Ｐを給紙する。
【００５２】
給紙手段５は、前記大容量自動給紙ユニットＤから前記画像形成手段４へと用紙Ｐを給紙するための搬送手段として、搬送ローラ対（以下、搬送ローラともいう）Ｒ６、および、前述したレジストローラ４６、転写前ローラ４７等を備え、大容量自動給紙ユニットＤにより給紙された用紙Ｐを画像形成手段４に給紙する。
【００５３】
ここで、さらに大容量の用紙を収納可能な公知の用紙給紙装置（不図示）を画像形成装置１の上流に接続し、画像形成装置１と通信を行い所定のサイズの用紙を給紙させるようにしても良い。
【００５４】
反転排紙・再給紙手段６は、転写・定着後の用紙Ｐを反転排紙したり、両面画像形成モードに従って用紙Ｐを画像形成装置４に再給紙するための領域であり、通常は定着排出ローラ５１により排出された用紙Ｐを切替手段５２の上面を経、排紙手段である排紙ローラ５３により大容量の用紙積載トレイ５４へ用紙を排紙・積載する。
【００５５】
ここで、用紙積載トレイ５４及び用紙積載トレイ５５を移動手段（不図示）により独自に図示上下方向に移動可能とし、通常は用紙積載トレイ５４に用紙を排紙・積載させ、用紙積載トレイ５４及び用紙積載トレイ５５を移動させて例えば確認出力用紙を用紙積載トレイ５５に排紙・積載するようにしても良い。
【００５６】
また、画像形成装置１の下流に公知の大容量用紙積載装置（不図示）を接続し、画像形成装置１と通信を行い所定のサイズのトレイに画像形成装置から排紙された用紙を積載するようにしても良い。
【００５７】
以下に図１〜７を参照して、第１の形態である確認出力用紙サイズを自動で入力する場合の画像形成装置の構成と制御方法について説明する。
【００５８】
図２は、画像形成装置の第１の制御形態のブロック図である。
【００５９】
画像形成装置１は、ジョブに係る用紙サイズ情報を含むジョブ情報を取得するジョブ情報取得手段であるインターネット通信手段Ｃ１とローカルエリアネットワーク（以下ＬＡＮと記す）通信手段Ｃ２と操作パネル１０、及び、ジョブに係る画像情報を含むジョブ画像情報を取得するジョブ画像取得手段であるインターネット通信手段Ｃ１とＬＡＮ通信手段Ｃ２と画像読取手段３、及び、取得したジョブ情報に基づき確認出力を行う確認出力用紙のサイズを決定する確認出力サイズ決定手段８０、及び、
インターネット通信手段Ｃ１、ＬＡＮ通信手段Ｃ２、或いは画像読取手段３から取得したジョブ画像情報のうち、確認出力サイズ決定手段８０で決定したサイズの確認出力用紙に、どの領域を出力するか指定するジョブ情報位置指定手段８２〔図１３ジョブ情報位置指定の説明図を参照〕、及び、ジョブ画像取得手段により取得した前記ジョブ画像情報を、確認出力サイズ決定手段８０で決定されたサイズの確認出力用紙のジョブ情報位置指定手段８２で指定された位置に、ジョブ画像情報を確認出力画像情報として編集する編集手段８３、及び、編集手段８３により編集された確認出力画像情報を確認出力用紙に画像形成させる画像形成手段４、及び、画像形成の制御プログラムや通信制御に係るプログラム等を予め記憶した不揮発性のＲＯＭ・Ｍ２、及び、ジョブ画像情報とジョブ情報と確認出力画像情報等各種データを読み込み・読み出しするバッテリーバックアップされたＲＡＭ・Ｍ１、を有し、それぞれが制御手段Ｃに接続され且つ制御されている。又、制御手段Ｃは画像形成に係る図１を参照して説明した作用に係る制御を行っている。
【００６０】
すなわち、ジョブ情報位置指定手段８２は、ジョブ画像情報のうち、断裁後に残す画像領域を指定する。
【００６１】
どの領域かは、例えば、ジョブ画像情報のうち確認出力を行う領域の基準位置を、後述する、ジョブ画像情報の、４隅のいずれか、各辺の中央のいずれか、中心、または任意の位置、のいずれか等を指定することによる。
【００６２】
また、編集手段８３は、ジョブ画像取得手段により取得した前記ジョブ画像情報のうち、ジョブ情報位置指定手段８２で指定された領域を、確認出力サイズ決定手段８０で決定されたサイズの確認出力用紙に出力するため、確認出力画像情報として編集する。
【００６３】
画像形成手段４は、編集手段８３により編集された確認出力画像情報を確認出力用紙に画像形成させる。
【００６４】
図１３において、（ａ）は、ジョブ画像情報のうち確認出力を行う領域の基準位置をジョブ画像情報の長辺側左上とした場合、（ｂ）は同じく左下とした場合、（Ｃ）は同じく中央とした場合、（ｄ）は同じく短辺側中央とした場合、（ｅ）は同じく任意の位置（ｘ／ｙ）とした場合を示し、（ｆ）はジョブ画像情報領域中の指定可能な基準位置を示している（任意指定位置を除く）。従って確認出力を行う領域の基準位置として（ｆ）に示す９箇所と（Ｅ）に示す任意の位置を指定可能としている。
【００６５】
図３は、画像形成装置の第１の制御形態のフロー図である。
【００６６】
図４は、確認出力の条件を設定する確認出力モード設定画面の１例を示す図である。
【００６７】
以下画像形成装置の制御フローについて図２〜４を参照して説明する。
【００６８】
制御手段Ｃは操作パネル１０からの確認出力モード起動指令により、確認出力モードを起動し、ＲＯＭ・Ｍ２に予め記憶されている確認出力モード設定画面情報を読込み、操作パネル１０のタッチパネル等の表示手段１０１（以下タッチパネル１０１と記す）に図４に示す確認出力モード設定画面を表示させる（ステップＳ１０１）。
【００６９】
制御手段Ｃは表示された確認出力モード設定画面の、確認出力ページ指定欄１０３の指定ページキー（例えば全ページ、ページ指定）、とジョブ情報位置を指定するジョブ情報位置指定欄１０２の位置指定キー（例えば中央、左上、左下）、及び、ジョブ用紙サイズ指定欄１０４のジョブ用紙サイズキー（例えばＡ３ワイド、Ｂ４ワイド、Ａ４ワイド等）から選択・指定された、確認出力ページ指定情報、ジョブ情報位置指定情報、ジョブ用紙サイズ情報の各情報（例えば第１頁、中央、Ａ４ワイド）を読込みＲＡＭ・Ｍ１に記憶させる（ステップＳ１０２）。なお、インターネット通信手段Ｃ１またはＬＡＮ通信手段Ｃ２等によりジョブ用紙サイズをジョブ情報として既に受け取っている場合、その情報を自動設定するようにすればよく、選択・指定は不要とできる。
【００７０】
また、位置指定は、上記例以外にも、右中央、左中央等の指定、さらには、位置をＸ，Ｙ座標で指定する構成としても良い。さらに、画像のイメージを表示手段に表示し、タッチペン等で位置を指定する構成とすることもできる。
【００７１】
ここで、ジョブ用紙サイズ指定欄には不図示の定形サイズ（Ａ４等）キー、不定形サイズ指定数字キー（寸法指定）を設けこれらの情報の指定を可能とするようにしても良い。
【００７２】
制御手段Ｃは操作パネル１０からの起動指令により自動原稿給紙手段２と、ジョブ画像情報を取得するジョブ情報取得手段である画像読取手段３とを起動させて、自動原稿給紙手段２にセットされた１つのジョブである１纏めの原稿から原稿を１枚ずつ取りださせて原稿画像を画像読取手段３により読み取らせ、ジョブ画像情報を取得する（ステップＳ１０３）。
【００７３】
ここで、インターネット通信手段Ｃ１を介してインターネットに接続された外部のサーバー等から、或いは通信手段Ｃ２を介してＬＡＮに接続された他の外部のサーバー等からジョブ情報とジョブ画像情報とを取得しても良い。
【００７４】
そして読み取った１つ、或いは複数のジョブに係るジョブ画像情報をジョブ情報と対応させて１ページづつページ番号を付してＲＡＭ・Ｍ１に記憶させる（ステップＳ１０４）。
【００７５】
制御手段ＣはＲＡＭ・Ｍ１に記憶させたジョブ用紙サイズ情報を読み出して、読み出したジョブ用紙サイズ情報（例えばＡ４ワイド）に基づき、断裁後の用紙サイズ、すなわちジョブ用紙サイズ情報の用紙サイズより１段小さなサイズの用紙サイズを確認出力を行う用紙のサイズ（例えばＡ４）として決定する（ステップＳ１０５）。
【００７６】
図５は、ＲＯＭに記憶された用紙対応表の１例を示す図である。
【００７７】
ここで、確認出力用紙のサイズの決定は、ジョブ用紙サイズ情報に対する確認出力を行う用紙のサイズ情報を表にした図５に示す用紙対応表をＲＯＭ・Ｍ１に予め記憶させ、ステップＳ１０５において、ジョブ用紙サイズ情報に対応する確認出力を行う用紙のサイズ情報を読み出して決定するようにすることができる。
【００７８】
制御手段ＣはステップＳ１０２でＲＡＭ・Ｍ１に記憶された位置指定情報（例えば中央）を読み出し、ステップＳ１０３で読み込んだジョブ画像情報のうちどの領域（例えば中央）に、ステップＳ１０５で決定した用紙サイズの確認出力を行うか、を決定する（ステップＳ１０６）。
【００７９】
制御手段Ｃは、指定された位置情報（例えば中央）と、ステップＳ１０５で決定したサイズ（例えばＡ４）に基づきステップＳ１０２で読み込んだ指定ページ（例えば第１頁）のジョブに係るジョブ画像情報を編集し、確認出力画像情報を得る（ステップＳ１０７）。
【００８０】
制御手段Ｃはデータ編集した確認出力画像情報をレーザー書込系３３に送り、感光体ドラム３１上に編集したジョブに係る画像情報を潜像形成させ、潜像を現像ユニット３４で顕像化して感光体ドラム上にトナー画像形成させる（ステップ１０８）。
【００８１】
また、自動給紙ユニットＤはステップＳ１０３で決定した確認出力を行う用紙のサイズ（例えばＡ４）に対応する用紙サイズを収納している給紙トレイＤ１〜Ｄ３から指定ページ情報（例えば第１頁の場合は１枚）に応じた枚数の用紙を給紙して感光体ドラム３１に向けて搬送する（ステップＳ１０９）。
【００８２】
ここで、各給紙トレイＤ１〜Ｄ３にはどのサイズの用紙が収納されているか予め記憶させておき、当該サイズの給紙トレイから選択・給紙させる。
【００８３】
制御手段Ｃは、給紙された確認出力を行う用紙に確認出力画像を転写極３５により転写させ、さらに定着装置３９の加熱・圧着により定着を行わせる（ステップＳ１１０）。
【００８４】
制御手段Ｃは、定着済みの用紙を排紙ローラ５３により、確認出力モード設定画面（図４）の確認出力排出トレイ欄１０５のトレイ設定キー（例えば第１トレイ、第２トレイ）で設定されたトレイ（例えば第１トレイ：用紙積載トレイ５４）に排紙・積載させる（ステップＳ１１１）
ここで、制御手段Ｃは確認出力用紙を優先的に積載面が目視可能な用紙積載トレイに排紙するようにしても良い。
【００８５】
用紙積載トレイ５４上には用紙積載トレイ５４上に積載された用紙を検出するセンサ（不図示）が設けられ、この検出出力により最上面が排紙ローラ５３から排紙された用紙が用紙積載トレイ５４上にジャム等を発生せずに排紙できる位置に来るように制御手段により制御されている。
【００８６】
又、確認出力を行わない通常のジョブに対する用紙と確認出力を行なうジョブに対する用紙とを分離して排紙・積載するようにしても良い。
【００８７】
これは、画像形成装置の排紙口近傍上流に、用紙積載トレイ５４と他の用紙積載トレイ５５への搬送経路を切り替える切替ゲート（不図示）を設け、所定のタイミングで切替ゲートを切り替え用紙の排紙経路を例えば用紙積載トレイ５４側から他の用紙積載トレイ５５側に切り替えることにより可能となる。また、用紙積載トレイ５４と他の用紙積載トレイ５５を駆動する駆動手段（不図示）を設け、確認出力を行わない通常のジョブに対する用紙を排紙中は例えば用紙積載トレイ５４を画像形成装置の排紙口に位置させ、確認出力を行なうジョブに対する用紙を排紙中は例えば用紙積載トレイ５５を画像形成装置の排紙に位置させるようにしても可能となる。
【００８８】
また、ジョブ画像情報は、予め（入力時点で）断裁処理される部分の画像情報、例えば断裁マークを有する情報であっても良い。この場合、位置指定手段により、ジョブ画像情報中の断裁マークを自動検出し、ジョブ画像情報のどの領域に出力するかの位置情報を得る構成としても良い。これにより、ユーザーによる手動設定の手間を省略できる。
【００８９】
この場合、ジョブ情報位置指定手段は、断裁マークの内部に含まれる、画像情報を指定する。また、断裁マークに基づいて、ジョブ画像情報から確認出力サイズの出力部分を指定する。
【００９０】
なお、オペレータが出力された確認出力画像を確認して画像位置を修正したい場合は用紙に対する画像位置の修正を可能としても良い。例えば綴じ代の幅調整を行いたいような場合を例に取り説明する。
【００９１】
図６は、応用コピーモードのフロー図である。
【００９２】
図７は、応用コピーモードを指定する応用モード基本画面の１例である。
【００９３】
図８は、画像位置の修正量を指定するシフト設定画面の１例である。
【００９４】
図９は、シフトを行うページを設定するシフトページ設定画面の１例である。
【００９５】
以下に、図２、６〜９を参照して画像位置を修正する方法について説明する。
【００９６】
操作パネル１０から応用モード実行指令が入力されると、制御手段ＣはＲＯＭ・Ｍ２に予め記憶させてある応用モード指定画面情報を読込み、表示手段１０１に応用モード基本画面（図７）を表示させる（ステップＳ２０１）。
【００９７】
応用コピーモード指定画面の「シフト」（一点鎖線部）が選択されると、制御手段Ｃはシフト指定情報を読込み、ＲＯＭ・Ｍ２に予め記憶させてあるシフト設定画面情報を読込み表示手段１０１にシフト設定画面（図８）を表示させる（ステップＳ２０２）。
【００９８】
シフト設定画面で、シフト方向を指定するシフト方向キー１０６のＯＮ後に数値キー１０７によりシフト量（例えば５ｍｍ）の設定が行われると、制御手段Ｃはシフト方向及び量（例えば上方向に５ｍｍ）を読込みＲＡＭ・Ｍ１に記憶させる（ステップＳ２０３）。
【００９９】
次いで、ＲＯＭ・Ｍ２に予め記憶させてあるシフトページ設定画面情報を読込み、表示手段１０１にシフトページ設定画面（図９）を表示させる（ステップＳ２０４）。
【０１００】
シフトページ設定画面で、シフトページが数値キー１０８等により設定される（例えば第１頁）の設定が行われると、制御手段Ｃはページ情報を読込みＲＡＭ・Ｍ１に記憶させる（ステップＳ２０５）。
【０１０１】
ここで、指定されたページ数を表示し、また、指定されたページの画像をイメージ表示しても良い。
【０１０２】
ＲＡＭ・Ｍ１からシフト量情報とシフトページ情報を読み出して当該ページのジョブ画像情報をシフト量情報に基づいて移動するようにデータを再編集する（ステップＳ２０６）。
【０１０３】
そしてステップＳ１０９〜ステップＳ１１１と同様にして再編集したジョブ画像情報をプリントアウトする（ステップＳ２０７）。
【０１０４】
さらに、ステップＳ１０２及びステップＳ２０５で指定したページのジョブ画像情報のサムネイル表示を行うことも可能とするとなお良い。
【０１０５】
これは、制御手段ＣがステップＳ１０３でＲＡＭ・Ｍ１に記憶させたジョブ画像情報のうち、指定されたページのジョブ画像情報を読み出して、所定のサイズ（例えば１／４〜１／１０程度のサイズ）に縮小し、縮小したジョブ画像情報を１画面に複数配列するように編集し直すことにより可能となる。
【０１０６】
なお、以上説明したページ管理はステップＳ１０４で各ジョブ画像情報に付されたページ番号に基づいて行われる。
【０１０７】
以下に、第２の形態である確認出力用紙サイズを手動で入力する場合の構成と制御方法について説明する。
【０１０８】
なお、第２の形態は確認出力用紙サイズを手動で入力する以外は第１の形態と同様なため、ブロック図、フロー図において異なる部分について説明する。
【０１０９】
図１０は、画像形成装置の第２の制御形態のブロック図である。
【０１１０】
ブロック図（図１０）について説明すると、画像形成装置１は、ジョブの用紙サイズより小サイズの用紙サイズを入力可能な確認出力用紙サイズ入力手段である操作パネル１０と、
インターネット通信手段Ｃ１、ＬＡＮ通信手段Ｃ２、或いは画像読取手段３から取得したジョブ画像情報を、確認出力サイズ指定画面で指定された用紙のどこ（ジョブ画像情報のうち確認出力を行う領域の基準位置を、ジョブ画像情報の、４隅のいずれか、各辺の中央のいずれか、中心、または任意の位置、のいずれか）に出力するかを指定するジョブ情報位置指定手段８５と、
確認出力サイズ指定画面で指定されたサイズの用紙の、確認出力サイズ指定画面で指定された位置に、ジョブ画像情報を確認出力画像情報として編集する編集手段８４と、を有している。
【０１１１】
ここで、操作パネル１０には確認出力を行う用紙のサイズを入力する確認出力のサイズ指定画面（図１２）が表示される。
【０１１２】
図１３において、（ａ）は、ジョブ画像情報のうち確認出力を行う領域の基準位置をジョブ画像情報の長辺側左上とした場合、（ｂ）は同左下とした場合、（Ｃ）は同中央とした場合、（ｄ）は同短辺側中央とした場合、（ｅ）は同任意の位置（ｘ／ｙ）とした場合を示し、（ｆ）はジョブ画像情報領域中の指定可能な基準位置を示している（任意指定位置を除く）。従って確認出力を行う領域の基準位置として（ｆ）に示す９箇所と（Ｅ）に示す任意の位置を指定可能としている。
【０１１３】
以下画像形成装置の第２の形態の制御フローについて図１０〜１２を参照して説明する。
【０１１４】
図１１は、画像形成装置の第２の制御形態のフロー図である。
【０１１５】
図１２は、確認出力を行う用紙サイズを選択・指定する、確認出力サイズ指定画面の１例の説明図である。
【０１１６】
ステップＳ３０１〜ステップＳ３０４は前述したステップＳ１０１〜ステップＳ１０４と同様にしてジョブ画像を記憶させる工程で、説明を省略する。
【０１１７】
図１２に示す確認出力サイズ指定画面を表示する情報は予めＲＯＭ・Ｍ２に記憶され、必要に応じ制御手段Ｃにより読み出され、表示手段１０１に表示され、オペレータにより確認出力を行う用紙のサイズが選択され、選択された用紙サイズ情報が制御手段Ｃに入力される。
【０１１８】
ＲＯＭ・Ｍ２からサイズ指定画面情報が読み出され、表示手段１０１にサイズ指定画面（図１２）を表示させる（ステップＳ３０５）。
【０１１９】
サイズ指定画面でオペレータにより所定のサイズが選択・設定される（例えばＡ４）と制御手段Ｃはサイズ情報を読込み、読み込んだサイズ情報を確認出力用紙サイズ（例えばＡ４）として決定する（ステップＳ３０６）。
【０１２０】
ここで、数字キーを表示して数字キーにより不定型な寸法を入力可能としても良い。
【０１２１】
ステップＳ３０２でＲＡＭ・Ｍ１に記憶された指定ページ情報（例えば１ページ）と、位置指定情報（例えば中央）とが読み出され、ステップＳ３０２で指定されたジョブのページを、ステップＳ３０３で読み込んだジョブ画像情報のうちどの領域（例えば中央）に、ステップＳ３０６で決定した用紙サイズの確認出力を行うか、を決定する（ステップＳ３０７）。
【０１２２】
制御手段Ｃは、指定された位置情報（例えば中央）と、ステップＳ３０６で決定したサイズ（例えばＡ４）に基づき、ステップＳ３０２で読み込んだページのジョブに係る画像情報を編集して確認出力画像情報を得る（ステップＳ３０８）。
【０１２３】
以下Ｓ３０９〜ステップＳ３１２は前述したステップＳ１０８〜ステップＳ１１１と同様にして確認出力画像を形成して、転写・定着後積載トレイに積載する工程であるため説明を省略する。
【０１２４】
又、第２の形態においても第１の形態と同様にして確認出力を行わない通常のジョブに対する用紙と確認出力を行なうジョブに対する用紙とを分離して排紙・積載するようにしても良い。
【０１２５】
また、第１の実施形態同様、ジョブ画像情報は、予め（入力時点で）断裁処理される部分の画像情報、例えば断裁マークを有する情報であっても良い。この場合、位置指定手段により、ジョブ画像情報中の断裁マークを自動検出し、ジョブ画像情報のどの領域に出力するかの位置情報を得る構成としても良い。これにより、ユーザーによる手動設定の手間を省略できる。この場合、ジョブ情報位置指定手段は、断裁マークの内部に含まれる、画像情報を指定する。また、断裁マークに基づいて、ジョブ画像情報から確認出力サイズの出力部分を指定する。
【０１２６】
図１４に、予め断裁マークの付与されたジョブ画像情報の例を示す。
【０１２７】
図１４（ａ）は、図１３（ａ）に対応するジョブ画像で、断裁マークを有する例である。断裁マークは、  十  で示している。十  の交点を結ぶ直線、あるいは、交点を通り用紙の辺と平行な直線により断裁場所を特定することができる。
【０１２８】
以下、同様に、  図１４（ｂ）−（ｅ）は、それぞれ、図１３（ｂ）−（ｅ）に対応する断裁マークありのジョブ画像である。
【０１２９】
以下に第３の形態について説明する。
【０１３０】
本実施の形態においては、ジョブ画像情報に対し、断裁マークを追加する構成とし、追加された断裁マークを利用してジョブ画像情報の確認出力用の領域を設定するものである。
【０１３１】
構成としては、他の画像形成装置やインターネット或いはＬＡＮを介して取得したジョブに係るジョブ画像情報に対して断裁マーク情報を追加する断裁マーク追加手段と、
該断裁マークの位置を検出し確認出力用紙の用紙サイズを決定する確認出力用紙サイズ決定手段と、
決定されたサイズの確認出力用紙に、追加された断裁マーク内部領域の前記ジョブ情報を編集する編集手段と、編集されたジョブ情報に基づき前記確認出力用紙に画像出力する画像出力手段とを設けても良い。
【０１３２】
この作用について説明すると、制御手段Ｃは取得したジョブに係るジョブ画像情報を表示手段１０１（タッチパネル）に表示させ、表示されたジョブ画像に対してオペレータが画面をタッチすると、制御手段Ｃはタッチ位置が断裁マーク位置と判断し断裁マーク位置情報をＲＡＭ・Ｍ１に記憶させる。（断裁マーク追加手段）
制御手段ＣはＲＡＭ・Ｍ１から断裁マーク位置情報を読み出して対角にある断裁マーク位置情報から対角距離を演算して演算結果値より大きな対角距離を有する定形用紙サイズを出力用紙サイズとして決定する。或いは断裁マーク内の面積を演算して演算結果値より大きな面積を有する定形用紙サイズを出力用紙サイズとして決定しても良い。（確認出力用紙決定手段）
また、制御手段ＣはＲＡＭ・Ｍ１からジョブ画像情報と断裁マーク位置情報から確認出力の領域を決定する。この決定された領域に基づき、ジョブ画像情報を編集し、確認出力画像情報を得る。（編集手段）
そして、制御手段Ｃは得られた確認出力画像情報に基づき、前記確認出力用紙に画像出力する画像出力手段である画像形成手段４に、画像を形成させる。
【０１３３】
ここで、ジョブ情報位置指定手段は、得られた断裁マークに基づいて、ジョブ画像情報から確認出力サイズの出力部分を決定するようにしても良く、また、ジョブ画像情報のうち、得られた断裁マークの内部領域を出力部分として決定しても良い。
【０１３４】
また、第３の実施形態では、断裁マークを追加する構成を示したが、予め断裁マークが付されたジョブ画像情報を用いて良いのはもちろんである。この場合、付された断裁マークを検出すればよいため、ユーザーによる断裁マーク追加は不要となる。
【０１３５】
また、第１、第２の形態で説明したように、用紙に対する画像位置の補正を行えるようにしても良く、ジョブページが複数ある場合は画像位置の補正を指定したページについて行えるようにしても良く、指定したページのサムネイル画面を表示させるようにしても良い。
【図面の簡単な説明】
【０１３６】
【図１】画像形成装置の１例を示す断面構成図である。
【図２】画像形成装置の第１の制御形態のブロック図である。
【図３】画像形成装置の第１の制御形態のフロー図である。
【図４】確認出力の条件を設定する確認出力モード設定画面の１例を示す図である。
【図５】ＲＯＭに記憶された用紙対応表の１例を示す図である。
【図６】応用コピーモードのフロー図である。
【図７】応用コピーモードを指定する応用モード基本画面の１例である。
【図８】画像位置の修正量を指定するシフト設定画面の１例である。
【図９】シフトを行うページを設定するシフトページ設定画面の１例である。
【図１０】画像形成装置の第２の制御形態のブロック図である。
【図１１】画像形成装置の第２の制御形態のフロー図である。
【図１２】確認出力を行う用紙サイズを選択・指定する、サイズ指定画面の１例の説明図である。
【図１３】ジョブ情報位置指定の説明図。
【図１４】断裁マーク入りジョブ画像の例を示す説明図。
【符号の説明】
【０１３７】
１  画像形成装置
３  画像読取手段
４  画像形成手段
５  給紙手段
９  用紙積載装置
１０  操作パネル
３３  レーザー書込系
３４  現像ユニット
３５  転写極
５４  用紙積載トレイ
７９  トレイ
８０  確認出力サイズ決定手段
８２  ジョブ情報位置指定手段
８３  編集手段
８４  編集手段
８５  ジョブ情報位置指定手段
１０１  表示手段
１０２  プリント位置指定欄
１０３  確認出力ページ指定欄
１０４  数値キー画面
Ｃ  制御手段
Ｃ１  インターネット通信制御手段
Ｃ２  ＬＡＮ通信制御手段
Ｄ  自動給紙ユニット
Ｄ１〜Ｄ３  給紙トレイ
Ｍ１  ＲＡＭ
Ｍ２  ＲＯＭ
【図１】
0004730143.tif 000002
【図２】
0004730143.tif 000003
【図３】
0004730143.tif 000004
【図４】
0004730143.tif 000005
【図５】
0004730143.tif 000006
【図６】
0004730143.tif 000007
【図７】
0004730143.tif 000008
【図８】
0004730143.tif 000009
【図９】
0004730143.tif 000010
【図１０】
0004730143.tif 000011
【図１１】
0004730143.tif 000012
【図１２】
0004730143.tif 000013
【図１３】
0004730143.tif 000014
【図１４】
0004730143.tif 000015